(57)【特許請求の範囲】
【請求項１】
室外ユニットとこの室外ユニットに接続された１台もしくは複数台の室内ユニットとで構成される複数の冷媒系統を有する空気調和装置において、
各冷媒系統の各室外ユニット及び各室内ユニットを接続する信号線と、
前記信号線を介して各室内ユニットのアドレスを自動設定する自動設定手段と、
前記複数台の室内ユニットのうち少なくとも１台に接続され、前記自動設定手段に前記室内ユニットのアドレスの自動設定を指示する信号入力手段を備え、
前記信号入力手段は、
前記自動設定手段によって自動設定されたアドレスを変更する手段であり、前記複数の冷媒系統のいずれか１つの冷媒系統を選択すると共に、この選択された冷媒系統に属する室内ユニットに既に自動設定されたアドレスの変更後のアドレスを仮アドレスとしてメモリーし、前記選択された冷媒系統に属する室内ユニットのアドレスの変更が完了した後、前記仮アドレスを一斉に正式アドレスに設定するグループ制御内アドレス変更手段と、
前記自動設定手段によって自動設定されたアドレスを変更する手段であり、１つの冷媒系統に属する室内ユニットに既に自動設定されたアドレスの変更後のアドレスを仮アドレスとしてメモリーし、前記１つの冷媒系統に属する室内ユニットのアドレスの変更が完了した後、前記仮アドレスを一斉に正式アドレスに設定する操作を前記冷媒系統ごとに順次繰り返して、室内ユニットの各々に既に自動設定されたアドレスを変更する全部アドレス変更手段とを有し、
前記グループ制御内アドレス変更手段と前記全部アドレス変更手段とが選択可能に構成されている
ことを特徴とする空気調和装置。
【請求項２】
前記信号入力手段はリモートコントローラであることを特徴とする請求項１に記載の空気調和装置。
【発明の詳細な説明】
【０００１】
【発明の属する技術分野】
本発明は、複数台の室外ユニットおよび複数台の室内ユニットからなり、制御系が同一の通信配線を介して接続された空気調和システムに係り、より詳しくは各室内ユニットに当該室内ユニットの属性を表すアドレスを自動設定可能な空気調和装置に関する。
【０００２】
【従来の技術】
一般に、大型ビル等の空気調和システムには、複数の室外ユニットと各室外ユニットに複数の室内ユニットを組み合わせた構成が用いられる。これらの各室外ユニットおよび室内ユニットは互いに独立あるいは協働して運転されるため、制御系を連動させる必要がある。そのために、各室外ユニットおよび室内ユニットの制御系に一本の通信線を配線して必要なデータを各制御系に送信することが行われる。このようなシステムでは、一本の通信線に複数の室外ユニットおよび室内ユニットが接続されるため、室外ユニットと室内ユニットの対応関係を明確にする必要があり、この対応関係の明確化のために、各室内ユニットに対して当該室内自身を特定する識別符号であるアドレスを設定することが行われる。通常、このアドレスの設定はシステムの設置時に行われるが、設置作業員による手動設定では設定ミスが発生する場合があるため、自動設定が求められる。
【０００３】
従来、アドレスの自動設定方法として、アドレス設定のために室外ユニットの圧縮機を運転して冷媒を室内ユニット側に供給し、例えば、圧縮機の運転前後で熱交換器温度が所定温度差以上変化した室内ユニットを検出して各室内ユニットにアドレスを設定するようにした方式が知られている（例えば、特開平６−１４７６０５号公報参照）。
【０００４】
【発明が解決しようとする課題】
しかしながら、この種の従来の空気調和装置では、設置現場で前記自動アドレス処理に従って室内ユニットにアドレスを自動設定した場合に設置現場の希望通りにアドレスが設定されない場合がある。この場合には、当該アドレスを設置現場の希望通りに振り直したいという要望があった。
【０００５】
本発明は上記状況に鑑みなされたもので、任意の室内ユニットに対してアドレス変更を簡単に行うことのできる空気調和装置を提供することを目的とする。
【０００６】
【課題を解決するための手段】
請求項１に記載の発明は、室外ユニットとこの室外ユニットに接続された１台もしくは複数台の室内ユニットとで構成される複数の冷媒系統を有する空気調和装置において、各冷媒系統の各室外ユニット及び各室内ユニットを接続する信号線と、前記信号線を介して各室内ユニットのアドレスを自動設定する自動設定手段と、前記複数台の室内ユニットのうち少なくとも１台に接続され、前記自動設定手段に前記室内ユニットのアドレスの自動設定を指示する信号入力手段を備え、前記信号入力手段は、前記自動設定手段によって自動設定されたアドレスを変更する手段であり、前記複数の冷媒系統のいずれか１つの冷媒系統を選択すると共に、この選択された冷媒系統に属する室内ユニットに既に自動設定されたアドレスの変更後のアドレスを仮アドレスとしてメモリーし、前記選択された冷媒系統に属する室内ユニットのアドレスの変更が完了した後、前記仮アドレスを一斉に正式アドレスに設定するグループ制御内アドレス変更手段と、前記自動設定手段によって自動設定されたアドレスを変更する手段であり、１つの冷媒系統に属する室内ユニットに既に自動設定されたアドレスの変更後のアドレスを仮アドレスとしてメモリーし、前記１つの冷媒系統に属する室内ユニットのアドレスの変更が完了した後、前記仮アドレスを一斉に正式アドレスに設定する操作を前記冷媒系統ごとに順次繰り返して、室内ユニットの各々に既に自動設定されたアドレスを変更する全部アドレス変更手段とを有し、前記グループ制御内アドレス変更手段と前記全部アドレス変更手段とが選択可能に構成されていることを特徴とする。
【０００７】
この発明では、信号入力手段を介してアドレスを変更できるので、当該アドレスを設置現場の希望通りに簡単に振り直すことができる。
【０００９】
この発明では、設置作業者やサービス作業者が信号入力手段から、全部アドレス変更手段と、グループ制御内アドレス変更手段とのいずれかを選択することができる。全部アドレス変更手段を選択すれば、リンク配線を行っている場合には建屋全体の全室内ユニットのアドレスを一か所の信号入力手段から変更することができ、またグループ制御内アドレス変更手段を選択すれば、全体のシステムを停止することなくグループ制御内の室内ユニットに対してアドレスを変更でき、アドレス変更の作業性を向上できる。
【００１１】
この発明では、仮アドレスとしてメモリーした後に、当該仮アドレスを一斉に正式アドレスに変更するので、仮アドレスとして変更した室内ユニットのアドレスに間違いがないかを確認することができ、仮アドレスを重複して設定することのないように設定することができる。
【００１２】
請求項２記載の発明は、請求項１記載のものにおいて、信号入力手段はリモートコントローラである。
【００１３】
この発明では、例えば設置作業者やサービス作業者が、リモートコントローラにおいて確認しながら全部アドレス変更処理あるいはグループ制御内アドレス変更処理を行うことができる。
【００１４】
【発明の実施の形態】
以下、本発明の実施形態を図面に基づいて詳細に説明する。図１は本発明に係る空気調和システムの全体を示す概略構成図であり、図２は室外ユニットおよび室内ユニット内の機器構成を示す概略図である。尚、これらの図において、冷凍サイクルは実線により示し、制御・通信回路は一点鎖線により示してある。
【００１５】
図１に示したように、本実施形態の空気調和システムは、システム全体を制御・統括する集中コントローラ１と、共に集中コントローラ１に無極性２線方式のバスライン３を介してリンク配線接続された、多数台の室内ユニット５−１〜５−ｎと、第１〜第３室外ユニット７−１〜７−３とから構成されている。図中、９は室内ユニットにリモコンライン４を介して接続されたワイヤードリモートコントローラ（以下、リモコンと略称する）である。
【００１６】
図２に示したように、室内ユニット５−１〜５−ｎ側には、室内熱交換器２１、電動ファン２３、電動膨張弁２５、電動フラップ２７等が設置されている。また、室外ユニット７−１〜７−３側には、圧縮機３１、電磁式の四方弁３３、室外熱交換器３５、電動ファン３７、アキュムレータ３９等が設置されている。冷媒回路を構成する機器は、ガス冷媒あるいは液冷媒の流通に供される冷媒配管４１〜４７により接続されている。
【００１７】
各室内ユニット５−１〜５−ｎ内には、室内側コントロールユニット（以下、室内側ＥＣＵと記す）６１が設置されている。室内側ＥＣＵ６１はＣＰＵを始め、入出力インタフェースやＲＯＭ、ＲＡＭ等から構成され、室内側ＥＣＵ６１では、入力インタフェースに室温Ｔｒ  を検出する室温センサ８１や、室内熱交換器２１の冷房運転時における入口側および出口側の冷媒温度Ｔｆｉ，Ｔｆｏを検出する第１，第２冷媒温度センサ８３，８５等が接続し、出力インタフェースに電動ファン２３や電動膨張弁２５、電動フラップ２７等が接続している。
【００１８】
一方、各室外ユニット７−１〜７−３内には、室外側コントロールユニット（以下、室外側ＥＣＵと記す）９１が設置され、各リモコン９内にはリモコン側コントロールユニット（以下、リモコン側ＥＣＵと記す）９３が設置されている。両ＥＣＵ９１，９３は、室内側ＥＣＵ６１と略同様の構成を有しており、室外側ＥＣＵ９１には圧縮機３１、四方弁３３、電動ファン３７の他、圧縮機３１の吐出側冷媒圧力Ｐｄ  を検出する圧力センサ９３、外気温Ｔａ  を検出する外気温センサ９５等が接続し、リモコン側ＥＣＵ９３には後述するディスプレイや各種スイッチが接続している。
【００１９】
図４は、リモコン９の表示・操作部を示す正面図であり、図中の符号１０１は運転情報等の表示に供される液晶ディスプレイである。液晶ディスプレイ１０１には、左上方に制御対象となるユニットナンバ表示（系統表示１０３−室内ユニット表示１０５）、右中央に項目コード表示１０７、下方に設定データ表示１０９がそれぞれなされる。また、液晶ディスプレイ１０１の左側には、上から順に、ユニット選択スイッチ１１１、スイング／風向スイッチ１１３、タイマ設定スイッチ１１５、タイマ時間スイッチ１１７，１１９、セットスイッチ１２１、取消スイッチ１２３が配設されている。
【００２０】
また、液晶ディスプレイ１０１の右側には、上から順に、運転切換スイッチ１２５、温度設定スイッチ１２７，１２９、風速切換スイッチ１３１、フィルタ交換ランプ１３３、そのリセットスイッチ１３５、試運転／点検スイッチ１３７が配設されている。更に、液晶ディスプレイ１０１の下部には、運転表示ランプ１３９と運転／停止スイッチ１４１とが配設されている。
【００２１】
次に、冷房運転時における冷媒の流れを簡単に説明する。
【００２２】
室外ユニット７−１〜７−３内では、冷媒配管４７から圧縮機３１に吸引されたガス冷媒が、断熱圧縮により高温高圧となって圧縮機３１から吐出され、冷媒配管４１、四方弁３３、冷媒配管４２を経由して室外熱交換器３５に流入する。高温高圧のガス冷媒は、室外熱交換器３５内を通過する間に外気により冷却され、凝縮することにより液冷媒となった後、冷媒配管４３を経由して各室内ユニット５−１〜５−ｎの電動膨張弁２５に流入する。
【００２３】
液冷媒は、電動膨張弁２５で流量を調整された後、冷媒配管４４を経由して室内熱交換器２１に流入する。液冷媒は、室内熱交換器２１内を通過する間に気化してガス冷媒となり、気化潜熱により電動ファン２３が送風した室内空気を冷却する。この際、室内側ＥＣＵ６１は、設定温度Ｔｓ  と室温Ｔｒ  との偏差に基づき電動ファン２３の回転数（ｒｐｍ  ）を制御すると共に、室内熱交換器２１の入口側冷媒温度Ｔｆｉと出口側冷媒温度Ｔｆｏとの偏差が所定値（例えば、０〜１℃）となるように電動膨張弁２５の開弁量（弁体駆動用ステップモータのステップ数）を制御する。室内熱交換器２１内で気化したガス冷媒は、冷媒配管４５から室外ユニット７−１〜７−３内の四方弁３３、冷媒配管４６を経由してアキュムレータ３９に流入し、冷媒配管４７から再び圧縮機３１に吸引される。
【００２４】
また、暖房運転時には、室外側ＥＣＵ９１により、四方弁３３が破線で示すように切り換えられる。これにより、圧縮機３１から吐出された高温高圧のガス冷媒が室内熱交換器２１内で凝縮熱を放出して液冷媒となった後、室外熱交換器３５に流入して外気から気化潜熱を吸収することになる。
【００２５】
ところで、本実施形態では、前記構成の空気調和システムの建屋への設置にあたり、各室内ユニット５−１〜５−ｎに対して、当該室内ユニット５−１〜５−ｎの属性を表すアドレスの自動設定が行われる。
【００２６】
図３に、この実施の形態における室内ユニットへのアドレス設定の基本的な手順を示す。まず、一つの室外ユニット（例えば、室外ユニット７−２）を暖房運転し（ステップＳ３１）、この室外ユニット７−２の冷媒系統に属する各室内ユニット（例えば、室内ユニット５−２１  〜５−２５  ）の室内熱交換器２１に冷媒を循環させる。全ての室内ユニットについて順次、室内熱交換器２１の温度変化を検出すし（ステップＳ３２）、所定の温度変化を示す室内熱交換器２１を内蔵する室内ユニットに対して運転中の室外ユニットに関するアドレスの割当てを行う（ステップＳ３３）。ステップＳ３２、Ｓ３３の処理は、ステップＳ３４にて全ての室内ユニットについて処理が実行されたと判定されるまで実行される。
【００２７】
以上のアドレス設定手順は、任意の室外ユニットの室外側ＥＣＵ９１内に格納されたアドレス設定プログラムにより自動的に行われる。
【００２８】
なお、アドレス設定に際して行われる運転モードとして暖房運転を用いる理由は、冷房運転時に比べて暖房運転の方が熱交換器の温度変化幅を大きく、したがって温度変化の有無の確定が明確であり、アドレス設定の信頼性が高いからである。しかしながら、温度変化幅が大きくとれる場合には冷房運転モードでアドレス設定することは可能である。
【００２９】
本実施形態では、図３に従い設定された室内ユニットのアドレスをリモコン９を用いて変更することに特徴を有する。自動アドレス設定が行われた場合、設置現場の希望どうりにはアドレスが設定されていない場合がある。この場合、リモコン９を用いて室内ユニットのアドレスを現場の希望通りに変更して、整然とアドレスを設定し直したいという要望がある。
【００３０】
この要望を実現するために、リモコン９を用いてのアドレス設定変更時には「全部アドレス変更」と「グループ制御ＧＲ内アドレス変更」とのいずれかの処理選択を可能とする。「全部アドレス変更」処理が選択されると、リンク配線されている全部の冷媒系統の室内ユニットのアドレスを変更する処理が行われ、「グループ制御ＧＲ内アドレス変更」処理が選択されると、ある冷媒系統のグループ制御ＧＲ（図１参照）配線内の室内ユニットのみのアドレスを変更する処理が行われる。
【００３１】
図５は「全部アドレス変更」処理のフローを示す。通常リモコンモード時に、図４に示すリモコン９の試運転／点検スイッチ１３７とタイマー時間スイッチ１１９とが、例えば４秒以上押されると、アドレス変更モードに移行する（ステップＳ１）。アドレス変更モードに移行すると、リモコン側ＥＣＵ９３は室内側ＥＣＵ６１に、すなわち、バスライン３と全室内ユニットのリモコンライン４にシステム停止の信号を送信する（ステップＳ２）。ついで、ユニット選択スイッチ１１１とスイング／風向スイッチ１１３の押下により、冷媒系統（例えば、室外ユニット７−１）が選択され、セットスイッチ１２１の押下により、アドレスを変更する冷媒系統が確定される（ステップＳ３）。
【００３２】
リモコン側ＥＣＵ９３は選択した冷媒系統内の全ての室内側ＥＣＵ６１に対して室内アドレスを要求し（ステップＳ４）、室内側ＥＣＵ６１から送信されてきた全ての室内アドレスをメモリーする（ステップＳ５）。リモコン９のユニット選択スイッチ１１１を押下する毎に、順次室内アドレスが呼び出されてリモコン９の液晶ディスプレー１０１に「現選択室内アドレス」として表示される（ステップＳ６）。
【００３３】
リモコン側ＥＣＵ９３はリモコン９に表示中の室内ユニットにファンとフラップのオン信号を送信する（ステップＳ７）。設置作業員はアドレス変更対象の室内ユニットのファンとフラップの動作によりその位置を目視で確認することができる。設置作業員が、リモコン９のタイマー時間スイッチ１１７，１１９の押下により、現に選択中の室内ユニット５−１のアドレスを変更して、その変更したアドレスの設定完了操作を行うと、変更したアドレスが「仮アドレス」として当該室内ユニットに設定される（ステップＳ８）。
【００３４】
ステップＳ６〜Ｓ８までの操作を繰り返して行うことにより、変更した室内ユニットのアドレスの重複設定等の間違いがないかを確認し、リモコン９の試運転／点検スイッチ１３７の押下により、同一冷媒系統の室内ユニットに対してアドレスの設定が完了する（ステップＳ９）。
【００３５】
試運転／点検スイッチ１３７が押下されると、リモコン側ＥＣＵ９３は室内側ＥＣＵ６１に、アドレスリセット信号を送信し（ステップＳ１０）、室内側ＥＣＵ６１は、変更された「仮アドレス」を「正式アドレス」として一斉に設定して確定する（ステップＳ１１）。リモコン９の試運転／点検ボタン１３７の押下により、リモコン側ＥＣＵ９３はバスライン３にシステムリブート信号を送信し、アドレス変更モードを終了する。
【００３６】
以上のようにして、リモコン９を用いて「全部アドレス変更」処理が選択されると、リンク配線されている全部の冷媒系統に接続された室内ユニットのアドレスを変更でき、簡単にアドレス変更を行うことができる。
【００３７】
図６は「グループ制御ＧＲ内アドレス変更」処理のフローを示す。通常リモコンモード時に、リモコン９の試運転／点検スイッチ１３７とタイマー時間スイッチ１１９とが、例えば４秒以上押下されると、アドレス変更モードに移行する（ステップＳ２０）。アドレス変更モードに移行すると、リモコン側ＥＣＵ９３はリモコンライン４を介して室内側ＥＣＵ６１にシステム停止信号を送信して、グループ内のシステムを停止させる（ステップＳ２１）。
【００３８】
リモコン９の操作によりグループ制御ＧＲ内の室内ユニットの中から変更したい室内ユニットが呼び出されて、リモコン９の液晶ディスプレー１０１に「現選択室内アドレス」として表示される（ステップＳ２２）。選択された室内ユニットのファンとフラップとはオンされる（ステップＳ２３）。
【００３９】
その室内ユニットのアドレスの現データが呼び出され（ステップＳ２４）、設置作業員はリモコン９の操作によりアドレスデータを変更し（ステップＳ２５）、ステップＳ２２〜Ｓ２４を繰り返して、グループ制御ＧＲ内の室内ユニットのアドレス変更が完了したかを確認する。試運転／点検スイッチ１３７が押下されるとリモコン側ＥＣＵ９３は、グループ制御ＧＲ内の全ての室内ユニットと、その室内ユニットにつながる室外ユニットに対してシステムリブートを送信する（ステップＳ２６）。システムリブート時において、変更した「仮アドレス」を「正式アドレス」に書き換えて終了する（ステップＳ２７）。
【００４０】
この実施形態では「グループ制御内アドレス変更」処理が選択されると、ある冷媒系統のグループ制御配線内の室内ユニットのみのアドレスが変更され、簡単にアドレス変更を行うことができる。
【００４１】
以上で具体的実施形態の説明を終えるが、本発明は上述した実施形態に限定されるものではない。例えば、上記実施形態では、運転設定の変更にリモコンを用いたが、専用の設定変更端末機等を用いるようにしてもよい。運転設定変更時の表示形態を始め、具体的な装置構成や制御手順等についても、本発明の趣旨を逸脱しない範囲で適宜変更可能である。
【００４２】
【発明の効果】
請求項１記載の発明では、信号入力手段を介してアドレスを変更できるので、当該アドレスを設置現場の希望通りに簡単に振り直すことができる。
【００４３】
請求項１記載の発明では、設置作業者やサービス作業者が信号入力手段から、全部アドレス変更手段と、グループ制御内アドレス変更処理とのいずれかを選択することができる。全部アドレス変更手段を選択すれば、リンク配線を行っている場合には建屋全体の全室内ユニットのアドレスを一か所の信号入力手段から変更することができ、またグループ制御内アドレス変更手段を選択すれば、全体のシステムを停止することなくグループ制御内の室内ユニットに対してアドレスを変更でき、アドレス変更の作業性を向上できる。
【００４４】
請求項２記載の発明では、仮アドレスとしてメモリーした後に、当該仮アドレスを一斉に正式アドレスに変更するので、仮アドレスとして変更した室内ユニットのアドレスに間違いがないかを確認することができ、仮アドレスを重複して設定することのないように設定することができる。
【００４５】
請求項３記載の発明では、例えば設置作業者やサービス作業者が、リモートコントローラにおいて確認しながら全部アドレス変更処理あるいはグループ制御内アドレス変更処理を行うことができる。
【図面の簡単な説明】
【図１】本発明の一実施形態に係る空気調和システムの全体を示す概略構成図である。
【図２】室内ユニットおよび室外ユニット内の機器構成を示す概略図である。
【図３】自動アドレスの手順を示すフローチャートである。
【図４】リモコンの表示・操作部を示す正面図である。
【図５】全部アドレス変更処理の手順を示したフローチャートである。
【図６】グループ制御内アドレス変更処理の手順を示したフローチャートである。
【符号の説明】
１  集中コントローラ
３  バスライン
４  リモコンライン
５−１〜５−ｎ  室内ユニット
７−１〜７−３  室外ユニット
９  ワイヤードリモートコントローラ（リモコン）
６１  室内側ＥＣＵ
９１  室外側ＥＣＵ
９３  リモコン側ＥＣＵ
１０１  液晶ディスプレイ
【図１】
0003630953.tif 000002
【図２】
0003630953.tif 000003
【図３】
0003630953.tif 000004
【図４】
0003630953.tif 000005
【図５】
0003630953.tif 000006
【図６】
0003630953.tif 000007